(57)【要約】【課題】自立した行動に制約がある者に対し、娯楽や他者との交流を通じた安らぎを与えられるサービスを提供すること。【解決手段】実施形態に係る提供装置は、取得部と、配信部とを具備する。取得部は、コンテンツを取得する。配信部は、上記コンテンツを表示可能な表示装置、および、かかる表示装置が存在する空間を照明する照明装置が連動して動作するように設けられた動作環境へ上記コンテンツを配信する。【選択図】図４
2020080230.tif 000002
【特許請求の範囲】
【請求項１】
コンテンツを取得する取得部と；
前記コンテンツを表示可能な表示装置、および、該表示装置が存在する空間を照明する照明装置が連動して動作するように設けられた動作環境へ前記コンテンツを配信する配信部と；
を具備する提供装置。
【請求項２】
前記配信部は、
前記コンテンツとともに、前記照明装置の制御に関する情報である照明制御情報を前記動作環境へ配信する、
請求項１に記載の提供装置。
【請求項３】
前記配信部は、
前記コンテンツに応じて前記照明装置の少なくとも調光および調色が制御されるように設定された前記照明制御情報を配信する、
請求項２に記載の提供装置。
【請求項４】
前記配信部は、
前記表示装置および前記照明装置が一体化された表示照明装置へ前記コンテンツを配信する、
請求項１、２または３に記載の提供装置。
【請求項５】
前記表示照明装置は、前記コンテンツの提供を受けるユーザが所在する空間の天井部に設けられる、
請求項４に記載の提供装置。
【請求項６】
前記配信部は、
前記ユーザの状況を問わず、前記コンテンツを配信する、
請求項５に記載の提供装置。
【請求項７】
前記配信部は、
前記ユーザの状況に応じて、前記コンテンツを配信する、
請求項５に記載の提供装置。
【請求項８】
前記配信部は、
前記動作環境から取得された該動作環境における動作履歴を前記コンテンツの提供者へ通知する、
請求項１〜７のいずれか一つに記載の提供装置。
【請求項９】
コンピュータが実行する提供方法であって、
コンテンツを取得するステップと；
前記コンテンツを表示可能な表示装置、および、該表示装置が存在する空間を照明する照明装置が連動して動作するように設けられた動作環境へ前記コンテンツを配信するステップと；
を含む提供方法。
【発明の詳細な説明】
【技術分野】
【０００１】
本発明の実施形態は、提供装置および提供方法に関する。
【背景技術】
【０００２】
従来、照明器具において、器具の外周方向へ間接光を発光させることで、演出効果や装飾性を向上させる技術が知られている。
【０００３】
かかる技術を利用し、例えば寝たきり状態や、終末期にある患者の居室を、落ち着いた雰囲気となるように調光および調色することで、不安を感じやすい傾向にある患者へ安らぎを与えることができる。
【先行技術文献】
【特許文献】
【０００４】
【特許文献１】特開２０１３−２１９０４９号公報
【発明の概要】
【発明が解決しようとする課題】
【０００５】
しかしながら、従来技術は、上述した患者のように、ほぼ一定の場所に居続けざるを得ない者に対し、照明の演出効果や装飾性によって安らぎを与えるものに過ぎず、娯楽や他者との交流を通じた安らぎまで与えられるものではない。かと言って、こうした者が、自ら外に出て、現実に娯楽を享受したり、他者との交流を図ったりすることは困難である。
【０００６】
本発明が解決しようとする課題は、自立した行動に制約がある者に対し、娯楽や他者との交流を通じた安らぎを与えられるサービスを提供することである。
【課題を解決するための手段】
【０００７】
実施形態の一例に係る提供装置は、取得部と、配信部とを具備する。取得部は、コンテンツを取得する。配信部は、前記コンテンツを表示可能な表示装置、および、該表示装置が存在する空間を照明する照明装置が連動して動作するように設けられた動作環境へ前記コンテンツを配信する。
【発明の効果】
【０００８】
本発明によれば、自立した行動に制約がある者に対し、娯楽や他者との交流を通じた安らぎを与えられるサービスを提供することが可能となる。
【図面の簡単な説明】
【０００９】
【図１】図１は、実施形態に係る提供装置が含まれる提供システムの一例を示す図である。
【図２】図２は、実施形態に係る表示照明装置の概要を示す図である。
【図３】図３は、実施形態に係る表示照明装置の側面模式図である。
【図４】図４は、実施形態に係る提供システムの構成の一例を示すブロック図である。
【図５】図５は、実施形態に係るコンテンツ情報の一例を示す図である。
【図６】図６は、実施形態に係る照明制御情報の一例を示す図である。
【図７】図７は、ユーザの状況に応じたコンテンツの提供例を示す図（その１）である。
【図８】図８は、ユーザの状況に応じたコンテンツの提供例を示す図（その２）である。
【図９】図９は、動作履歴の通知例を示す図である。
【図１０】図１０は、実施形態に係る提供装置が実行する処理の処理手順を示すフローチャートである。
【発明を実施するための形態】
【００１０】
以下で説明する実施形態に係る提供装置１０は、取得部１３ａと、配信部１３ｄとを具備する。取得部１３ａは、コンテンツを取得する。配信部１３ｄは、上記コンテンツを表示可能な表示部２３０、および、かかる表示部２３０が存在する空間を照明する照明部２４０が連動して動作するように設けられた動作環境へ上記コンテンツを配信する。
【００１１】
以下で説明する実施形態に係る配信部１３ｄは、上記コンテンツとともに、照明部２４０の制御に関する情報である照明制御情報を上記動作環境へ配信する。
【００１２】
以下で説明する実施形態に係る配信部１３ｄは、上記コンテンツに応じて照明部２４の少なくとも調光および調色が制御されるように設定された照明制御情報を配信する。
【００１３】
以下で説明する実施形態に係る配信部１３ｄは、表示部２３０および照明部２４０が一体化された表示照明装置２００へ上記コンテンツを配信する。
【００１４】
以下で説明する実施形態に係る表示照明装置２００は、上記コンテンツの提供を受けるユーザＵが所在する空間の天井部５１に設けられる。
【００１５】
以下で説明する実施形態に係る配信部１３ｄは、ユーザＵの状況を問わず、上記コンテンツを配信する。
【００１６】
以下で説明する実施形態に係る配信部１３ｄは、ユーザＵの状況に応じて、上記コンテンツを配信する。
【００１７】
以下で説明する実施形態に係る配信部１３ｄは、上記動作環境から取得されたかかる動作環境における動作履歴を登録者Ｒへ通知する。
【００１８】
以下、図面を参照して、実施形態に係る提供装置について説明する。実施形態において同一の機能を有する構成要素には同一の符号を付し、重複する説明は省略される。
【００１９】
また、以下の実施形態で説明する提供装置および提供方法は、一例を示すに過ぎず、本発明を限定するものではない。
【００２０】
（実施形態）
まず、図１〜図３を用いて、実施形態に係る提供装置１０が含まれる提供システム１の概要について説明する。図１は、実施形態に係る提供装置１０が含まれる提供システム１の一例を示す図である。また、図２は、実施形態に係る表示照明装置２００の概要を示す図である。また、図３は、実施形態に係る表示照明装置２００の側面模式図である。
【００２１】
図１に示すように、提供システム１は、提供装置１０と、登録者端末１００と、表示照明装置２００とを含む。提供装置１０、登録者端末１００および表示照明装置２００は、例えばインターネットや携帯電話回線網等のネットワークＮを介して、相互通信可能に設けられる。
【００２２】
提供装置１０は、ネットワークＮを介したコンテンツ配信サービスを提供するサーバ装置として構成され、登録者Ｒから表示可能なコンテンツの登録を受け付けるとともに、登録されたコンテンツをユーザＵへ提供する。
【００２３】
なお、本実施形態では、ユーザＵは、例えば医療施設５０などの居室に所在し、寝たきり状態や終末期にある患者であり、登録者Ｒは、かかる患者の家族であるものとする。登録者Ｒは、「コンテンツの提供者」の一例に相当する。
【００２４】
登録者端末１００は、登録者Ｒが利用する端末であり、例えばスマートフォンや、ノート型またはデスクトップ型のＰＣ（Personal  Computer）、タブレット端末、ＰＤＡ（Personal  Digital  Assistant）、眼鏡型や時計型の情報処理端末であるウェアラブルデバイス（wearable  device）などである。
【００２５】
登録者Ｒは、かかる登録者端末１００を用いて撮影したり、購入したりしたコンテンツを提供装置１０へ登録することとなる。コンテンツは、例えば家族の写真や動画、手紙、映像商品等である。
【００２６】
表示照明装置２００は、室内を照明する照明機能に加え、提供装置１０から提供されるコンテンツを表示する表示機能を有する。具体的には、図２に示すように、表示照明装置２００は、例えば天井部５１に取り付けられるシーリングライトとして構成されるとともに、表示照明装置２００の本体を覆うカバー部２１２にコンテンツの映像を投影して表示可能に設けられる。
【００２７】
より具体的には、図３に示すように、表示照明装置２００は、本体部２１１と、カバー部２１２と、照明用光源２１３と、間接光源２１４と、プロジェクタ２１５とを有する。
【００２８】
本体部２１１は、例えば筒状に設けられ、天井部５１へ取り付けられる。また、本体部２１１は、プロジェクタ２１５を収容する。カバー部２１２は、いわゆるセードであり、例えば透光性を有する乳白色の樹脂などによって構成され、本体部２１１を覆うように設けられる。
【００２９】
照明用光源２１３は、ＬＥＤ（Light  Emitting  Diode）等の発光素子を複数有し、例えばカバー部２１２の内側に設けられ、発光素子を発光させることによって、表示照明装置２００が取り付けられた室内を照明する。なお、複数の発光素子は、例えば白色光源および原色光源の組み合わせであって、これらをそれぞれ独立に制御し、任意に調光および調色を制御することが可能である。
【００３０】
間接光源２１４は、ＬＥＤ等の発光素子を有し、例えば発光面を天井部５１へ向けつつカバー部２１２の背後に設けられ、発光素子を発光させることによって、表示照明装置２００が取り付けられた室内を間接照明する。なお、発光素子は、例えば白色光源または原色光源であって、任意に調光および調色を制御することが可能である。
【００３１】
プロジェクタ２１５は、本体部２１１の内部に収容され、提供装置１０から提供されるコンテンツの映像をカバー部２１２の内面に投影する。すなわち、実施形態に係る表示照明装置２００において、カバー部２１２は、照明用光源２１３から出力された光を拡散させることで照明する範囲を拡張するほかに、プロジェクタ２１５から出力される映像を投影するスクリーンとしても機能する。
【００３２】
したがって、表示照明装置２００において、カバー部２１２、照明用光源２１３および間接光源２１４は、「照明装置」の一例に相当する照明部２４０（図４参照）を構成する。また、カバー部２１２およびプロジェクタ２１５は、「表示装置」の一例に相当する表示部２３０（図４参照）を構成する。すなわち、表示照明装置２００は、表示部２３０および照明部２４０が一体化されている。
【００３３】
なお、表示照明装置２００は、図３では図示略の制御部２０３（図４参照）を有しており、かかる制御部２０３によって表示部２３０および照明部２４０を連動して動作させることが可能である。制御部２０３は、例えば表示部２３０へ表示されるコンテンツの映像に応じて調光および調色が変化するように照明部２４０を制御する。かかる制御に際して用いられる照明部２４０の制御情報（以下、「照明制御情報」と言う）は、提供装置１０からコンテンツとともに配信される。こうした点については、図４〜図６を用いた説明で後述する。
【００３４】
このように構成された表示照明装置２００により、図２に示すように、ユーザＵは、ベッドなどへ横たわった姿勢で表示照明装置２００に表示された映像を視認することが可能となる。
【００３５】
そして、これまで説明したように構成された実施形態に係る提供システム１にあっては、図１に示すように、まず登録者Ｒが、登録者端末１００を介し、提供装置１０へ向けてコンテンツをアップロードする（ステップＳ１）。
【００３６】
なお、かかる際に、登録者Ｒは、例えばコンテンツの映像に応じて照明を制御するための制御情報を指定することができる。制御情報の指定は、例えば提供装置１０から提供され、登録者端末１００上で動作するアプリによる指定機能などによって実現することができる。かかる指定は、任意に指定が可能であってもよいし、予め用意されたプリセット情報の選択による指定が可能であってもよい。
【００３７】
そして、提供装置１０は、登録者Ｒからアップロードされたコンテンツを取得し、登録する（ステップＳ２）。また、提供装置１０は、表示照明装置２００へ向けて、登録したコンテンツを配信する（ステップＳ３）。
【００３８】
そして、表示照明装置２００は、提供装置１０から配信を受けたコンテンツを表示する（ステップＳ４）。かかるステップＳ３〜Ｓ４は、ユーザＵの状況を問わず、コンテンツが登録されて即時に実行されてもよいし、指定の日時に実行されてもよい。また、ユーザＵの選択や、ユーザＵの状況に応じて実行されてもよい。かかる点の具体例は、図５、図７および図８を用いた説明で後述する。
【００３９】
ユーザＵは、こうして配信され、表示されたコンテンツを、医療施設５０などの居室に横たわりつつ、コンテンツに応じた照明効果を受けながら視聴することができる。したがって、実施形態に係る提供システム１によれば、自立した行動に制約があるユーザＵに対し、娯楽や他者との交流を通じた安らぎを与えられるサービスを提供することが可能となる。
【００４０】
また、図１に示すように、表示照明装置２００は、ユーザＵや表示照明装置２００の状況を示す状況データを送信することができる（ステップＳ５）。状況データは、例えば、表示照明装置２００の動作履歴や、ユーザＵの覚醒状態などを含む。状況データは、提供装置１０を介して例えば登録者端末１００への通知が可能である。
【００４１】
したがって、実施形態に係る提供システム１によれば、自立した行動に制約があるユーザＵの状況を、例えば家族である登録者Ｒへ知らせ、登録者Ｒにも安心感を与えることが可能となる。
【００４２】
以下、実施形態に係る提供システム１の構成の一例について、より具体的に説明する。図４は、実施形態に係る提供システム１の構成の一例を示すブロック図である。なお、図４では、実施形態の特徴を説明するために必要な構成要素のみを表しており、一般的な構成要素についての記載を省略している。
【００４３】
換言すれば、図４に図示される各構成要素は機能概念的なものであり、必ずしも物理的に図示の如く構成されていることを要しない。例えば、各ブロックの分散・統合の具体的形態は図示のものに限られず、その全部または一部を、各種の負荷や使用状況などに応じて、任意の単位で機能的または物理的に分散・統合して構成することが可能である。
【００４４】
また、図４を用いた説明では、既に説明済みの構成要素については、説明を簡略化するか、省略する場合がある。
【００４５】
図４に示すように、実施形態に係る提供システム１は、提供装置１０と、登録者端末１００と、表示照明装置２００とを含む。
【００４６】
まず、提供装置１０から説明する。提供装置１０は、通信部１１と、記憶部１２と、制御部１３とを備える。
【００４７】
通信部１１は、例えば、ＮＩＣ（Network  Interface  Card）等によって実現される。通信部１１は、ネットワークＮと有線または無線で接続され、ネットワークＮを介して、登録者端末１００や、表示照明装置２００との間で情報の送受信を行う。
【００４８】
記憶部１２は、たとえば、ＲＡＭ（Random  Access  Memory）、フラッシュメモリ（Flash  Memory）等の半導体メモリ素子、または、ハードディスク、光ディスク等の記憶装置によって実現され、図４の例では、コンテンツ情報ＤＢ１２ａと、照明制御情報ＤＢ１２ｂとを記憶する。
【００４９】
コンテンツ情報ＤＢ１２ａは、登録者Ｒからアップロードされたコンテンツに関する情報データベースである。ここで、図５にコンテンツ情報ＤＢ１２ａに格納されるコンテンツ情報の一例を示す。図５は、実施形態に係るコンテンツ情報の一例を示す図である。
【００５０】
例えば、図５に示すように、コンテンツ情報は、「コンテンツＩＤ」項目と、「コンテンツデータ」項目と、「メタ情報」項目と、「照明制御情報ＩＤ」項目と、「提供日時」項目とを含む。
【００５１】
「コンテンツＩＤ」項目は、各コンテンツの識別情報が格納される。「コンテンツデータ」項目は、各コンテンツの実データが格納される。「メタ情報」項目は、各コンテンツの索引等として利用されるタグといった付随情報が格納される。かかる付随情報は、例えば登録者Ｒが登録者端末１００を用いてコンテンツをアップロードする際に、上述のアプリ等の機能により指定することができる。
【００５２】
「照明制御情報ＩＤ」項目は、各コンテンツに紐付けられる照明部２４０の制御情報の識別情報が格納される。「提供日時」項目は、各コンテンツが、表示照明装置２００へ配信され、ユーザＵへ提供される日時が格納される。かかる日時もまた、上述のアプリ等の機能により指定することができる。
【００５３】
図５の例では、コンテンツＩＤ「Ｃ００１」のコンテンツは、例えば○○様からの手紙であり、提供日時は「即時」で、コンテンツが表示される際、照明制御情報ＩＤ「Ｉ００１」の照明制御情報によって照明部２４０が連動制御されることが分かる。
【００５４】
また、コンテンツＩＤ「Ｃ００２」のコンテンツは、例えば入学式の写真であり、提供日時がピンポイントで指定されており、コンテンツが表示される際、照明制御情報ＩＤ「Ｉ００２」の照明制御情報によって照明部２４０が連動制御されることが分かる。
【００５５】
また、コンテンツＩＤ「Ｃ００３」のコンテンツは、例えば時代劇の動画であり、提供日時が毎日定時で指定されており、コンテンツが表示される際、照明制御情報ＩＤ「Ｉ００３」の照明制御情報によって照明部２４０が連動制御されることが分かる。
【００５６】
また、コンテンツＩＤ「Ｃ００４」のコンテンツは、例えばユーザＵの孫の写真であり、ユーザＵの覚醒時にランダムで提供されるよう提供日時が指定されており、コンテンツが表示される際、照明制御情報ＩＤ「Ｉ００４」の照明制御情報によって照明部２４０が連動制御されることが分かる。ユーザＵの覚醒時といった状況の取得については後述する。
【００５７】
図４の説明に戻る。照明制御情報ＤＢ１２ｂは、各コンテンツに対応する照明制御情報が格納される情報データベースである。ここで、図６に照明制御情報ＤＢ１２ｂに格納される照明制御情報の一例を示す。図６は、実施形態に係る照明制御情報の一例を示す図である。
【００５８】
例えば、図６に示すように、照明制御情報は、「照明制御情報ＩＤ」項目と、「パラメータ＃１」〜「パラメータ＃ｎ」項目と、「制御態様」項目とを含む。
【００５９】
「照明制御情報ＩＤ」項目は、図５に示した同項目に対応し、各照明制御情報の識別情報が格納される。「パラメータ＃１」〜「パラメータ＃ｎ」項目は、それぞれ照明部２４０の調光および調色の実パラメータが格納される。
【００６０】
「制御態様」項目は、「パラメータ＃１」〜「パラメータ＃ｎ」項目の実パラメータを用いた制御態様が格納される。
【００６１】
図６の例では、照明制御情報ＩＤ「Ｉ００１」の照明制御情報は、「制御態様」項目が「＃１」である。これは、かかる照明制御情報を用いた場合、「パラメータ＃１」項目に格納された実パラメータのみによって照明部２４０の調光および調色が制御されることを意味している。
【００６２】
また、照明制御情報ＩＤ「Ｉ００２」の照明制御情報は、「制御態様」項目が「＃１〜＃ｎ  ＸＸＸ秒ごと」である。これは、かかる照明制御情報を用いた場合、「パラメータ＃１」〜「パラメータ＃ｎ」項目に格納された実パラメータがＸＸＸ秒ごとで切り替えられつつ照明部２４０の調光および調色が制御されることを意味している。
【００６３】
また、照明制御情報ＩＤ「Ｉ００３」の照明制御情報は、「制御態様」項目が「自動」である。これは、かかる照明制御情報を用いた場合、例えば提供装置１０が算出する自動パラメータによって照明部２４０の調光および調色が制御されることを意味している。例えば提供装置１０は、コンテンツの色や画素の変化量、シーンの切り替わりの頻度などに応じて、コンテンツに合ったものとなるように照明制御情報のパラメータを自動算出することができる。
【００６４】
また、照明制御情報ＩＤ「Ｉ００４」の照明制御情報は、「制御態様」項目が「プリセット＃１「リラックス」」である。これは、上述したプリセット情報が設定される場合に対応し、例えばリラックスした雰囲気に対応するプリセット＃１「リラックス」のパラメータによって照明部２４０の調光および調色が制御されることを意味している。
【００６５】
図４の説明に戻り、つづいて制御部１３について説明する。制御部１３は、コントローラ（controller）であり、たとえば、ＣＰＵ（Central  Processing  Unit）やＭＰＵ（Micro  Processing  Unit）等によって、提供装置１０内部の記憶デバイスに記憶されている各種プログラムがＲＡＭを作業領域として実行されることにより実現される。また、制御部１３は、たとえば、ＡＳＩＣ（Application  Specific  Integrated  Circuit）やＦＰＧＡ（Field  Programmable  Gate  Array）等の集積回路により実現することができる。
【００６６】
制御部１３は、取得部１３ａと、登録部１３ｂと、抽出部１３ｃと、配信部１３ｄとを有し、以下に説明する情報処理の機能や作用を実現または実行する。
【００６７】
取得部１３ａは、登録者端末１００からネットワークＮを経由してアップロードされたコンテンツを、通信部１１を介して取得する。このとき、取得部１３ａは、登録者端末１００から上述した「メタ情報」や「提供日時」、照明制御情報の指定があれば、あわせて取得する。
【００６８】
また、取得部１３ａは、表示照明装置２００から送信された状況データを、ネットワークＮおよび通信部１１を介して取得する。状況データには、ユーザＵが覚醒中であるかといったユーザＵの状況などが含まれる。
【００６９】
登録部１３ｂは、取得部１３ａによって取得されたコンテンツをコンテンツ情報ＤＢ１２ａへ登録する。また、登録部１３ｂは、登録者端末１００から「メタ情報」や「提供日時」の指定があれば、これらをコンテンツ情報ＤＢ１２ａに反映する。また、登録部１３ｂは、登録者端末１００から照明制御情報の指定があれば、かかる照明制御情報を照明制御情報ＤＢ１２ｂへ登録し、コンテンツ情報ＤＢ１２ａの該当のコンテンツへと紐付ける。
【００７０】
なお、登録部１３ｂは、登録者端末１００から「メタ情報」や「提供日時」、照明制御情報の指定がなければ、コンテンツを解析するなどしてこれらのパラメータを自動生成し、登録することができる。また、予め既定値を用意しておき、これを登録するようにしてもよい。
【００７１】
抽出部１３ｃは、上述した「提供日時」や表示照明装置２００からの状況データなどに基づき、配信対象となるコンテンツおよびこれに対応する照明制御情報を、コンテンツ情報ＤＢ１２ａおよび照明制御情報ＤＢ１２ｂから抽出する。
【００７２】
配信部１３ｄは、抽出部１３ｃによって抽出された、配信対象であるコンテンツおよび照明制御情報を、通信部１１およびネットワークＮを介し、表示照明装置２００へ向けて配信する。また、配信部１３ｄは、取得部１３ａによって取得された状況データを、通信部１１およびネットワークＮを介し、登録者端末１００へ向けて通知する。
【００７３】
次に、表示照明装置２００について説明する。表示照明装置２００は、通信部２０１と、記憶部２０２と、制御部２０３とを備える。また、表示照明装置２００は、既に述べたように、表示部２３０と、照明部２４０とを有する。
【００７４】
また、表示照明装置２００は、カメラや、人感センサ、生体センサなどの各種センサ２５０が接続される。
【００７５】
通信部２０１は、通信部１１と同様に、たとえばＮＩＣ等によって実現される。通信部２０１は、ネットワークＮと有線または無線で接続され、ネットワークＮを介して、提供装置１０や、登録者端末１００との間で情報の送受信を行う。また、通信部２０１は、各種センサ２５０の出力データを受信する。
【００７６】
記憶部２０２は、記憶部１２と同様に、たとえば、ＲＡＭ、フラッシュメモリ等の半導体メモリ素子、または、ハードディスク、光ディスク等の記憶装置によって実現され、図４の例では、配信コンテンツ２０２ａと、照明制御情報２０２ｂと、状況データ２０２ｃ
とを記憶する。
【００７７】
配信コンテンツ２０２ａは、提供装置１０から配信されたコンテンツである。照明制御情報２０２ｂは、配信コンテンツ２０２ａに対応する照明制御情報である。状況データ２０２ｃは、各種センサ２５０の出力データに基づいて取得されるユーザＵの状況を示す情報や、表示照明装置２００の動作履歴を含む。
【００７８】
制御部２０３は、制御部１３と同様に、コントローラであり、たとえば、ＣＰＵやＭＰＵ等によって、表示照明装置２００内部の記憶デバイスに記憶されている各種プログラムがＲＡＭを作業領域として実行されることにより実現される。また、制御部２０３は、たとえば、ＡＳＩＣやＦＰＧＡ等の集積回路により実現することができる。
【００７９】
制御部２０３は、取得部２０３ａと、表示制御部２０３ｂと、照明制御部２０３ｃと、送信部２０３ｄとを有し、以下に説明する情報処理の機能や作用を実現または実行する。
【００８０】
取得部２０３ａは、提供装置１０から配信されたコンテンツを取得し、配信コンテンツ２０２ａへ格納する。また、取得部２０３ａは、提供装置１０から配信された照明制御情報を取得し、照明制御情報２０２ｂへ格納する。
【００８１】
また、取得部２０３ａは、各種センサ２５０からの出力データを取得するとともに、かかる出力データに基づいてユーザＵの状況を取得し、状況データ２０２ｃへ格納する。例えば取得部２０３ａは、各種センサ２５０からの出力データに基づいてユーザＵが入眠状態から覚醒状態へ移行した状況が取得されたならば、かかる状況を示す情報を状況データ２０２ｃへ格納する。また、取得部２０３ａは、表示照明装置２００の動作履歴を取得し、状況データ２０２ｃへ格納する。
【００８２】
表示制御部２０３ｂは、配信コンテンツ２０２ａを表示部２３０へ表示させる。照明制御部２０３ｃは、表示制御部２０３ｂが配信コンテンツ２０２ａを表示部２３０へ表示させるに際して、照明制御情報２０２ｂに基づいて連動制御され、照明部２４０の調光および調色を制御する。
【００８３】
送信部２０３ｄは、状況データ２０２ｃを提供装置１０へ通信部２０１を介して送信する。例えば、送信部２０３ｄは、状況データ２０２ｃが更新されるごと、すなわちユーザＵの状況に変化が生じるごとに、リアルタイムで状況データ２０２ｃを提供装置１０へ送信する。
【００８４】
提供装置１０は、送信部２０３ｄによって送信された状況データ２０２ｃが、例えばユーザＵが覚醒したことを示すものであれば、図５で示したコンテンツＩＤ「Ｃ００４」を提供するトリガとなる状況が発生したと判定し、該当のコンテンツを抽出して配信する。
【００８５】
なお、ここでは、ユーザＵの状況が、提供装置１０がコンテンツを提供するトリガとなる例を挙げたが、登録者端末１００からコンテンツを登録するトリガとなるようにしてもよい。かかる場合の一例を図７に示す。図７は、ユーザＵの状況に応じたコンテンツの提供例を示す図（その１）である。
【００８６】
図７に示すように、表示照明装置２００が、各種センサ２５０からの出力データに基づいてユーザＵの覚醒を検出したものとする（ステップＳ１１）。かかる場合に、表示照明装置２００の送信部２０３ｄは、ユーザＵの覚醒を示す状況データ２０２ｃを提供装置１０へ通知し（ステップＳ１２）、提供装置１０は、登録者端末１００へこれを通知する（ステップＳ１３）。
【００８７】
すると、登録者Ｒ側では、図中に「起きたみたい」として示すように、ユーザＵが入眠から覚めてコンテンツを視聴可能になったことを把握することができる。すなわち、コンテンツを登録するトリガを得ることができる。
【００８８】
そして、かかるトリガに基づいて登録者Ｒが登録者端末１００を介してコンテンツをアップロードし（ステップＳ１４）、これを提供装置１０がユーザＵへ提供すれば（ステップＳ１５）、ユーザＵは睡眠を妨げられることなく、視聴可能である適正な状況の下で、コンテンツの提供を受けることができる。
【００８９】
また、これまでは、ユーザＵの意思表示を介在させることなく、一方的にユーザＵへコンテンツを提供する場合について説明したが、ユーザＵが見たいコンテンツを選択するようにしてもよい。かかる場合の一例を図８に示す。図８は、ユーザＵの状況に応じたコンテンツの提供例を示す図（その２）である。
【００９０】
図８に示すように、登録者Ｒから、コンテンツおよびメタ情報が登録されていたものとする（ステップＳ２１）。メタ情報は、ここでは、例えば図５に示した「孫」のタグである。
【００９１】
そして、各種センサ２５０には、音声認識センサが含まれているとする。かかる状況で、例えばユーザＵが、「孫の写真が見たい」と発声したものとする。すると、表示照明装置２００の取得部２０３ａは、各種センサ２５０が音声認識した発声内容から、ユーザＵがコンテンツを「孫」で選択した状況を取得し、送信部２０２ｄが提供装置１０へこれを通知する（ステップＳ２２）。
【００９２】
そして、提供装置１０の抽出部１３ｃが、かかる通知に基づき、タグ「孫」をキーワードとしてコンテンツ情報ＤＢ１２ａから該当のコンテンツ（例えば図５に示したコンテンツＩＤ「Ｃ００４」のコンテンツ）を抽出する（ステップＳ２３）。そして、配信部１３ｄがユーザＵへかかるコンテンツを提供すれば（ステップＳ２４）、ユーザＵは、例えばベッドへ横になったままの状態で、所望のコンテンツの提供を受けることができる。
【００９３】
なお、ここでは音声認識センサに基づくコンテンツの提供例を示したが、ユーザＵが操作可能であれば、リモコン操作などによって選択させてもよい。この場合、例えばコンテンツの配信前には、表示照明装置２００の表示部２３０に選択可能なコンテンツの一覧を表示させておき、ユーザＵに所望のコンテンツを選択させればよい。
【００９４】
また、例えばコンテンツの配信前に、配信の許諾を問うガイダンス情報を先に表示し、上述の音声認識センサやリモコン操作などによって「はい／いいえ」を選択させるようにしてもよい。そして、例えばユーザＵが「はい」を選択したコンテンツについてのみ、配信するようにしてもよい。
【００９５】
また、既に述べてはいるが、表示照明装置２００の送信部２０３ｄは、状況データ２０２ｃとして、表示照明装置２００の動作履歴を通知することができる。かかる場合の一例を図９に示す。図９は、動作履歴の通知例を示す図である。
【００９６】
図９に示すように、表示照明装置２００の送信部２０３ｄは、表示照明装置２００の動作履歴を提供装置１０へ適宜通知することができる（ステップＳ３１）。提供装置１０は、これに基づき、ユーザＵの視聴履歴を確認できるほか、表示照明装置２００のライフサイクル管理などにも活用することができる。
【００９７】
また、提供装置１０は、同動作履歴を、登録者端末１００へ通知する（ステップＳ３２）。これにより、図９に示すように、登録者Ｒは、例えばユーザＵの視聴履歴によってユーザＵがコンテンツを見てくれていることを確認でき、安心感を受けることができる。
【００９８】
次に、実施形態に係る提供装置１０が実行する処理の処理手順について、図１０を用いて説明する。図１０は、実施形態に係る提供装置１０が実行する処理の処理手順を示すフローチャートである。
【００９９】
図１０に示すように、まず取得部１３ａが、登録者端末１００からコンテンツを取得する（ステップＳ１０１）。なお、このとき、取得部１３ａは、コンテンツとともに、メタ情報や、照明制御情報を取得することができる。
【０１００】
そして、配信部１３ｄが、表示部２３０と照明部２４０が連動して動作する動作環境、すなわち表示照明装置２００へコンテンツを配信し（ステップＳ１０２）、処理を終了する。
【０１０１】
上述してきたように、実施形態に係る提供装置１０は、取得部１３ａと、配信部１３ｄとを具備する。取得部１３ａは、コンテンツを取得する。配信部１３ｄは、上記コンテンツを表示可能な表示部２３０、および、かかる表示部２３０が存在する空間を照明する照明部２４０が連動して動作するように設けられた動作環境へ上記コンテンツを配信する。これにより、自立した行動に制約があるユーザＵに対し、娯楽や他者との交流を通じた安らぎを与えられるサービスを提供することが可能となる。
【０１０２】
（その他の実施形態）
なお、上述した実施形態では、提供装置１０が、専ら登録者Ｒが登録者端末１００からアップロードしたコンテンツを取得する場合について説明したが、この限りではない。例えば提供装置１０自体が、ネットワークＮを介してユーザＵに提供するのに好ましいコンテンツを収集することによって取得してもよいし、コンテンツそのものを生成してもよい。
【０１０３】
また、上述した実施形態では、表示部２３０および照明部２４０が一体化された表示照明装置２００を例に挙げたが、この限りではない。表示部２３０および照明部２４０は連動して動作するように設けられていれば、表示部２３０および照明部２４０は分離していてもよい。
【０１０４】
また、上述した実施形態では、表示照明装置２００が天井部５１に設けられる場合を例に挙げたが、この限りではない。表示照明装置２００は、ユーザＵが所在する空間の壁や床などに設けられてもよい。
【０１０５】
また、上述した実施形態では、表示照明装置２００のカバー部２１２がコンテンツを表示するスクリーンとなるように構成した例を挙げたが、この限りではない。例えばプロジェクタ２０５の向きにより、天井部５１や、壁、床などがスクリーンとなるように構成してもよい。また、プロジェクタ２０５を用いるのではなく、ディスプレイを搭載して、かかるディスプレイにコンテンツを表示するようにしてもよい。
【０１０６】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１０７】
１    提供システム
１０    提供装置
１３ａ  取得部
１３ｄ  配信部
２００    表示照明装置
２０３ｂ  表示制御部
２０３ｃ  照明制御部
２０３ｄ  送信部
２３０    表示部
２４０    照明部
Ｎ      ネットワーク
Ｒ      登録者
Ｕ      ユーザ
【図１】
2020080230.tif 000003
【図２】
2020080230.tif 000004
【図３】
2020080230.tif 000005
【図４】
2020080230.tif 000006
【図５】
2020080230.tif 000007
【図６】
2020080230.tif 000008
【図７】
2020080230.tif 000009
【図８】
2020080230.tif 000010
【図９】
2020080230.tif 000011
【図１０】
2020080230.tif 000012